(57)【要約】【課題】屋根に機器を搭載する装置のための瓦を提供する。【解決手段】屋根瓦を敷設した屋根の棟側から軒側に向かうＸ方向と、該Ｘ方向に交差するＹ方向に関して、Ｘ方向に隣り合う屋根瓦を相互に所定ピッチ(P)だけＹ方向に偏位した状態で千鳥状に敷設した屋根瓦と置換される代替瓦であり、前記代替瓦(6)は、Ｘ方向の基準線ＣからＹ方向の両側に向けて、等距離Ｓ、Ｓだけ離間すると共に前記所定ピッチ(P)の範囲内に位置する左右の２個所(7L)(7R)にそれぞれ開口部(8L)(8R)を設けており、前記直線Ｌに沿う任意の複数個所で敷設された複数の代替瓦(6)(6)の間において、前記直線Ｌに臨む一方の開口部(8L,8R)に前記支持手段(4)を貫通させ、他方の開口部(8R,8L)を蓋部材(11)により閉鎖するように構成している。【選択図】図１
2015124519.tif 000002
【特許請求の範囲】
【請求項１】
屋根瓦を敷設した屋根の棟側から軒側に向かうＸ方向と、該Ｘ方向に交差するＹ方向に関して、Ｘ方向の直線Ｌに沿う複数個所に支持手段を設置し、該支持手段の上部に架台を介して機器を搭載する構成であり、
前記支持手段が設置される個所の屋根瓦と置換して敷設され、前記支持手段を屋根下地材に固着した状態で貫通させる開口部を備えた代替瓦において、
Ｘ方向に隣り合う屋根瓦を相互に所定ピッチ(P)だけＹ方向に偏位した状態で千鳥状に敷設した屋根瓦と置換される代替瓦であり、
前記代替瓦(6)は、Ｘ方向の基準線ＣからＹ方向の両側に向けて、等距離Ｓ、Ｓだけ離間すると共に前記所定ピッチ(P)の範囲内に位置する左右の２個所(7L)(7R)にそれぞれ開口部(8L)(8R)を設けており、
前記直線Ｌに沿う任意の複数個所で敷設された複数の代替瓦(6)(6)の間において、前記直線Ｌに臨む一方の開口部(8L,8R)に前記支持手段(4)を貫通させ、他方の開口部(8R,8L)を蓋部材(11)により閉鎖するように構成して成ることを特徴とする機器搭載用の瓦。
【請求項２】
前記代替瓦(6)は、前記開口部(8)を囲む筒壁(12)を上向きに突設し、該筒壁の上端から内向きに張出すパッキン受部(13)を形成すると共に、該パッキン受部の内周縁から上向きに突出する口縁部(14)を形成し、前記パッキン受部(13)に載置した環状のパッキン(22,26)を前記口縁部(14)に外嵌させるように構成して成ることを特徴とする請求項１に記載の機器搭載用の瓦。
【請求項３】
一対の筒壁(12,12)は、棟側(X2)に臨む壁部により上流壁(15)を形成し、該上流壁(15)は、前記基準線Ｃに向けて次第に軒側(X1)に傾斜する整流手段(16)を構成し、該上流壁(15)の上端と前記パッキン受部(13)の間を閉鎖する閉鎖壁(17)を設けて成ることを特徴とする請求項１又は２に記載の機器搭載用の瓦。
【発明の詳細な説明】
【技術分野】
【０００１】
本発明は、屋根に機器を搭載する装置のための瓦、例えば、太陽光発電用の太陽電池モジュールを搭載する装置を構築するために使用する瓦に関する。
【背景技術】
【０００２】
従来、屋根上に太陽電池モジュールを搭載する場合、軒側から棟側に向かうＸ方向に配置される架台を前記Ｘ方向に交差するＹ方向に間隔をあけて屋根上に列設した状態で、Ｙ方向に隣り合う架台に太陽電池モジュールを架設状に搭載すると共に、複数の太陽電池モジュールを前記Ｘ方向に配置している。この際、前記架台は、長尺の金具により構成される場合と、短尺の金具により構成される場合がある。
【０００３】
このような機器の搭載装置は、屋根瓦に直接に設けると、該屋根瓦を破損するおそれがある。そこで、屋根瓦の一部を代替瓦により置換し、該代替瓦に設けた開口部を貫通して支持手段を屋根の下地材に固着し、該支持手段が受ける機器等の荷重を下地材により支持させるように構成した装置（以下「瓦貫通式装置」という。）が提案されている。
【先行技術文献】
【特許文献】
【０００４】
【特許文献１】特開２００４−２７８１１０号公報
【特許文献２】特開２０１２−１７７２９１号公報
【発明の概要】
【発明が解決しようとする課題】
【０００５】
瓦貫通式装置に使用される従来の代替瓦は、屋根瓦が和瓦とされている場合を念頭に置いて開発されており、中央部に１個の開口部を設けている。和瓦の場合、多数の屋根瓦は、Ｘ方向とＹ方向の両方向に整列された格子状に敷設されている。従って、Ｘ方向の直線Ｌに沿う複数個所に支持手段を設置する場合、該直線Ｌに対応する任意の個所の和瓦を代替瓦に置換すれば、Ｘ方向に離間する複数の代替瓦の開口部が前記直線Ｌの上に位置するので、それぞれの代替瓦の開口部に設けた支持手段に架台を架設したとき、該架台が前記直線Ｌに沿わせられるので、特に問題は生じない。
【０００６】
ところが、本発明者の知見によれば、住宅等の屋根は、平板瓦を敷設している場合が少なくなく、このような平板瓦に関して、従来技術のような中央部に１個の開口部を設けた代替瓦と置換すると、Ｘ方向の直線Ｌに沿って支持手段を設置できないという問題がある。
【０００７】
即ち、図１０に示すように、一般的に、平板瓦１は、Ｘ方向に隣り合う瓦１、１を相互に所定ピッチＰだけＹ方向に偏位した状態で千鳥状に敷設されている。
【０００８】
これに対して、従来技術の代替瓦は、中央部に１個の開口部を設ける技術思想によるものであるから、瓦貫通式装置として用いる代替瓦２も、外観形状を平板瓦１と同様に形成しつつ、中央部に１個の開口部３を設け、屋根下地材に固着される支持手段４を前記開口部３に貫通させ、該支持手段４に架台５を連結する構成となる。
【０００９】
しかしながら、Ｘ方向の直線Ｌに関して、任意の複数個所に位置する平板瓦１、１を前記代替瓦２、２と置換したとき、軒側Ｘ１に臨む代替瓦２ａの開口部３を通過する直線Ｌａと、棟側Ｘ２に臨む代替瓦２ｂの開口部３を通過する直線Ｌｂが一致せず、架台５を所望の直線Ｌに沿わせて取付けることができない事態を招来する。
【００１０】
従って、架台５を直線Ｌに沿わせて取付けるためには、Ｘ方向に離間する複数の平板瓦１、１のうち、直線Ｌに臨む限定された位置の平板瓦１、１を代替瓦２、２と置換する必要があり、支持手段４の設置個所に制限を受けるという問題がある。そして、作業者が誤作業により、図１０のように、位置ずれした状態で代替瓦２を敷設したときは、誤りであることに気付いた後、代替瓦２を敷設し直さなければならず、作業性を著しく低下するという問題がある。
【００１１】
本発明は、上記の問題に鑑み、平板瓦のような千鳥状に敷設された屋根瓦において、任意に所望の屋根瓦に置換して代替瓦を敷設した場合でも、Ｘ方向に離間した代替瓦の間において、常に必ず、架台を直線Ｌに沿って設置可能とする瓦を提供することを目的とする。
【００１２】
更に、前記課題に加えて、好ましくは、屋根の下地材に固着する支持金具と、代替瓦と、架台の連結金具の間において、雨仕舞いが良好であり、雨漏りのおそれがない瓦貫通式装置を可能とする瓦を提供することを目的とする。
【課題を解決するための手段】
【００１３】
そこで、本発明が手段として構成したところは、屋根瓦を敷設した屋根の棟側から軒側に向かうＸ方向と、該Ｘ方向に交差するＹ方向に関して、Ｘ方向の直線Ｌに沿う複数個所に支持手段を設置し、該支持手段の上部に架台を介して機器を搭載する構成であり、前記支持手段が設置される個所の屋根瓦と置換して敷設され、前記支持手段を屋根下地材に固着した状態で貫通させる開口部を備えた代替瓦において、Ｘ方向に隣り合う屋根瓦を相互に所定ピッチだけＹ方向に偏位した状態で千鳥状に敷設した屋根瓦と置換される代替瓦であり、該代替瓦は、Ｘ方向の基準線ＣからＹ方向の両側に向けて、等距離だけ離間すると共に前記所定ピッチの範囲内に位置する左右の２個所にそれぞれ開口部を設けており、前記直線Ｌに沿う任意の複数個所で敷設された複数の代替瓦の間において、前記直線Ｌに臨む一方の開口部に前記支持手段を貫通させ、他方の開口部を蓋部材により閉鎖するように構成して成る点にある。
【００１４】
本発明の好ましい実施形態において、前記代替瓦は、前記開口部を囲む筒壁を上向きに突設し、該筒壁の上端から内向きに張出すパッキン受部を形成すると共に、該パッキン受部の内周縁から上向きに突出する口縁部を形成し、前記パッキン受部に載置した環状のパッキンを前記口縁部に外嵌させるように構成している。
【００１５】
一対の筒壁は、棟側Ｘ２に臨む壁部により上流壁を形成し、該上流壁は、前記基準線に向けて次第に軒側Ｘ１に傾斜する整流手段を構成し、該上流壁の上端と前記パッキン受部の間を閉鎖する閉鎖壁を設けることが好ましい。
【発明の効果】
【００１６】
本発明によれば、架台５をＸ方向の直線Ｌに沿って取付けるため、該直線Ｌに臨む任意の複数個所に敷設された平板瓦１を代替瓦６、６と置換したとき、軒側Ｘ１に臨む代替瓦６ａと棟側Ｘ２に臨む代替瓦６ｂが相互にＹ方向に前記所定ピッチＰだけ偏位して敷設された場合でも、軒側Ｘ１の代替瓦６ａの左右一方の開口部８Ｒと、棟側Ｘ２の代替瓦６ｂの左右他方の開口部８Ｌは、相互に同一の直線Ｌに臨んで配置される。
【００１７】
従って、同一の直線Ｌに臨んで配置された軒側Ｘ１の代替瓦６ａの左右一方の開口部８Ｒと棟側Ｘ２の代替瓦６ｂの左右他方の開口部８Ｌを選択し、該開口部８Ｒ、８Ｌのそれぞれに支持手段４を貫通させ、該支持手段４の上に架台５を連結すれば、該架台５を前記直線Ｌに沿って好適に架設することができる効果がある。そして、選択されない開口部は、蓋部材１１で閉鎖することにより、雨仕舞いを行うことができるので、雨漏りを生じるおそれはない。
【図面の簡単な説明】
【００１８】
【図１】千鳥状に敷設された屋根瓦に関して、本発明の実施形態に係る代替瓦を置換して敷設した状態を示す斜視図である。
【図２】前記代替瓦の開口部に関する特徴的構成を示す平面図である。
【図３】前記代替瓦の上面を示す斜視図である。
【図４】前記代替瓦を示しており、（Ａ）は平面図、（Ｂ）はＡ−Ａ線断面図、（Ｃ）はＢ−Ｂ線断面図，（Ｄ）はＣ−Ｃ線断面図である。
【図５】本発明の代替瓦を使用した瓦貫通式装置の実施形態を分解状態で示す斜視図である。
【図６】前記瓦貫通式装置に基づく支持金具固着工程を示し、（Ａ）は筒壁とパッキンを示す斜視図、（Ｂ）は支持金具の固着状態をＹ方向の断面にて示す断面図である。
【図７】前記瓦貫通式装置に基づく連結金具固着工程を示し、（Ａ）は連結金具を示す斜視図、（Ｂ）は連結金具の固着状態をＹ方向の断面にて示す断面図である。
【図８】前記瓦貫通式装置に基づく架台連結工程を示し、（Ａ）は架台と調整プレートを示す斜視図、（Ｂ）は架台の連結状態をＹ方向の断面にて示す断面図である。
【図９】本発明に係る代替瓦の別の実施形態を示す斜視図である。
【図１０】本発明に対する比較例として、和瓦に関する代替瓦の従来技術を千鳥状に敷設される平板瓦に応用した場合の問題点を説明する斜視図である。
【発明を実施するための形態】
【００１９】
以下図面に基づいて本発明の好ましい実施形態を詳述する。
【００２０】
［機器の屋根上搭載例］
本発明が目的とする屋根上に搭載する機器は、例えば、太陽電池モジュールの場合、屋根の軒側Ｘ１から棟側Ｘ２に向かうＸ方向に配置される架台５を前記Ｘ方向に交差するＹ方向に間隔をあけて屋根上に列設すると共に、Ｙ方向に隣り合う架台にパネル形態とされた太陽電池モジュールを架設状に搭載した状態で、前記太陽電池モジュールのＸ方向の端部を前記架台５に対して固定金具により固定される。
【００２１】
図１に示すように、屋根には平板瓦１が敷設されており、Ｘ方向に隣り合う平板瓦１、１は、相互に所定ピッチＰだけＹ方向に偏位した状態で千鳥状に敷設されている。
【００２２】
このような屋根において、本発明は、Ｘ方向の直線Ｌに沿う複数個所に位置して後述する支持手段を設置し、該支持手段の上部に架台５を介して機器を搭載するため、前記支持手段を屋根下地材に固着した状態で貫通させる開口部８を備えた代替瓦６を提供し、上述の瓦貫通式装置の実施に供する。
【００２３】
図２に示すように、代替瓦６は、該瓦のほぼ中央でＸ方向の基準線ＣからＹ方向の両側に向けて、等距離Ｓ、Ｓだけ離間すると共に前記所定ピッチＰの範囲内に位置する左右の２個所７Ｌ、７Ｒに、それぞれ開口部８Ｌ、８Ｒを設けている。
【００２４】
図示実施形態の場合、代替瓦６は、アルミニウム等の不燃素材でダイキャストその他により成形されており、全体形状は、陶器製の平板瓦１と同様に形成され、Ｙ方向の一方の縁部（図例の場合、左側の縁部）に横縁重合部９を形成すると共に、棟側Ｘ２の縁部に上縁重合部１０を形成している。従って、屋根に敷設する際、前記横縁重合部９をＹ方向に隣接する平板瓦１の下側に差し込まれ、前記上縁重合部１０を棟側Ｘ２に隣接する平板瓦１の下側に差し込まれる。
【００２５】
図例の場合、代替瓦６は、Ｙ方向に関して前記横縁重合部９を除く代替瓦６の幅Ｗを２等分する中心線により前記基準線Ｃを定め、該基準線Ｃから左右等距離Ｓ、Ｓだけ離間すると共に前記所定ピッチＰの範囲内に位置する左右２個所７Ｌ、７Ｒに、開口部８Ｌ、８Ｒを設けている。
【００２６】
そこで、図１に示すように、前記架台５をＸ方向の直線Ｌに沿って取付けるため、該直線Ｌに臨む任意の複数個所に敷設された平板瓦１を代替瓦６、６と置換したとき、軒側Ｘ１に臨む代替瓦６ａと棟側Ｘ２に臨む代替瓦６ｂが相互にＹ方向に前記所定ピッチＰだけ偏位して敷設された場合でも、軒側Ｘ１の代替瓦６ａの右側の開口部８Ｒと、棟側Ｘ２の代替瓦６ｂの左側の開口部８Ｌは、相互に同一の直線Ｌに臨んで配置されることになる。
【００２７】
このため、同一の直線Ｌに臨んで配置された代替瓦６ａの右側の開口部８Ｒと代替瓦６ｂの左側の開口部８Ｌを選択し、該開口部８Ｒ、８Ｌのそれぞれに支持手段を貫通させ、該支持手段の上に架台５を連結すれば、該架台５を前記直線Ｌに沿って好適に架設することが可能となる。そして、選択されない開口部、図例の場合、代替瓦６ａの左側の開口部８Ｌと代替瓦６ｂの右側の開口部８Ｒは、蓋部材１１（図５参照）により閉鎖すれば良く、これにより雨漏りを生じるおそれはない。
【００２８】
本発明の好ましい実施形態において、代替瓦６は、図３及び図４に示すように、前記開口部８Ｌ、８Ｒのそれぞれを囲む筒壁１２を上向きに突設し、該筒壁１２の上端から内向きに張出すパッキン受部１３を形成すると共に、該パッキン受部１３の内周縁から上向きに突出する口縁部１４を形成し、前記パッキン受部１３に載置した環状のパッキン２６（図６参照）を前記口縁部１４に外嵌させるように構成している。
【００２９】
左右の開口部８Ｌ、８Ｒを形成する一対の筒壁１２、１２は、棟側Ｘ２に臨む壁部により上流壁１５を形成し、該上流壁１５は、前記基準線Ｃに向けて次第に軒側Ｘ１に傾斜する整流手段１６を構成し、該上流壁１５の上端と前記パッキン受部１３の間を閉鎖する閉鎖壁１７を設けている。
【００３０】
従って、棟側Ｘ２の上流側から流下する雨水は、前記左右の整流手段１６、１６により整流され、左右の筒壁１２、１２の間に集められる。軒側Ｘ１に向かう下流位置の中央には、小さいＶ形の中間整流手段１８が設けられており、これにより流下する雨水を左右方向に整流し、更に下流側に大きいＶ形の下端整流手段１９が設けられており、雨水を左右に大きく整流させ、軒側Ｘ１の平板瓦１に向けて流下させる。
【００３１】
上記の整流手段の他、代替瓦６の上縁重合部１０には、雨水の上流を阻止する水返しリブ群２０が設けられ、左右側縁部には、雨水を内側に向けて案内するガイドリブ群２１が設けられている。
【００３２】
上述の通り、平板瓦１と置換して屋根に敷設された代替瓦６は、一対の開口部８Ｌ、８Ｒのうち一方の開口部を選択することにより使用され、選択されない他方の開口部は、図５に示すような蓋部材１１により閉鎖される。この際、環状のパッキン２２をパッキン受部１３に載置すると共に口縁部１４に外嵌し、その上から蓋部材１１を被冠させ、ビス等により固着する。このため、パッキン受部１３には、ビス孔１３ａが設けられている（図３参照）。尚、パッキン２２は、ＥＰＤＭ発泡体のような柔軟なスポンジ状の独立気泡ゴムにより形成することが好ましい。
【００３３】
上記の代替瓦６を使用することにより実施される搭載装置は、図５に示すように、代替瓦６の開口部８を貫通して屋根の下地材２３にベース材２４を介して固着される支持手段４としての支持金具２５と、前記代替瓦６と支持金具２５の間に介装されるパッキン２６と、前記支持金具２５を下地材２３に向けて前進させながら固着する固着手段２７と、前記支持金具２５と架台５を連結する連結金具２８を備えている。パッキン２６は、ＥＰＤＭ発泡体のような柔軟なスポンジ状の独立気泡ゴムにより形成することが好ましい。
【００３４】
上述の通り、太陽電池モジュール等の機器を搭載する際、搭載装置を必要とする所定個所に代替瓦６が配置される。その際、代替瓦６の下方には、必要に応じて、野地板等の下地材２３の上にベース材２４が固着される。
【００３５】
前記支持金具２５は、Ｕ形に折曲された金属板の底壁により固着部２９を形成すると共に、両側壁により胴部３０を形成し、胴部３０の上端から外側に折曲された一対の舌片により翼部３１を形成しており、該翼部３１の下面により保持手段３２を構成すると共に、該翼部３１に設けた孔により連結手段３３を構成している。
【００３６】
そこで、平板瓦１の間に敷設した代替瓦６の左右開口部８Ｌ、８Ｒのうち、選択された方の開口部８における筒壁１２の受部１３にパッキン２６を添設した状態で、支持金具２５の胴部３０をパッキン２６及び筒壁１２に挿入すると共に、固着部２９のビス孔にビスから成る固着手段２７を挿入してベース材２４及び下地材２３にねじ込むと、固着手段２７が下地材２３に向けて前進する。これにより、筒壁１２の外側に張り出した翼部３１、３１の保持手段３２がパッキン２６のＸ方向の２辺２６ａを受部１３に向けて圧縮し、受部１３とパッキン２６と翼部３１をサンドイッチ状に密着させる（支持金具固着工程）。この際、パッキン２６のＸ方向の２辺２６ａは、図６（Ａ）に鎖線Ｆで示すように圧縮される。
【００３７】
図７に示すように、前記連結金具２８は、前記支持金具２５の上部を被う金属板により形成されており、前記筒壁１２を上方から被うカバー材としての機能を兼備する。好ましくは、アルミ押出材により成形された金属板のＹ方向の両側縁部の下面に密着部３４を形成しており、上面にＹ方向に延びる横向きガイド手段３５を設け、該横向きガイド手段３５の両端に位置する孔により連結手段３６を構成している。
【００３８】
図示実施形態の場合、前記横向きガイド手段３５は、連結金具２８の上部に隆起すると共にＹ方向に延びる隆起部２８ａにより、取付ボルト３７の角形首部３７ａを摺動自在に保持するスリット３５ａを形成すると共に、頭部３７ｂを抜止め状に収容するトンネル部３５ｂを形成している。
【００３９】
そこで、前記支持金具固着工程により固着された支持金具２５の翼部３１，３１の上に、前記取付ボルト３７を備えた連結金具２８を載置し、それぞれ孔から成る連結金具２８の連結手段３６と翼部３１の連結手段３３をボルト等の固着具３８により固着する。これにより、連結金具２８の密着部３４，３４がパッキン２６のＹ方向の２辺２６ｂの上面に密着する（連結金具固着工程）。
【００４０】
図例の場合、翼部３１の連結手段３３を雌ネジ孔により形成し、固着具３８を構成するボルトを直接螺合できる構成としているが、ボルト締着のためのナットを使用しても良い。
【００４１】
図示省略しているが、前記支持金具固着工程を経たパッキン２６は、Ｘ方向の２辺２６ａを翼部３１の保持手段３２により圧縮されているが、この状態では圧縮されてないＹ方向の２辺２６ｂを翼部３１よりも上方に突出させており、連結金具固着工程において、連結金具２８を翼部３１に固着したとき、該連結金具２８の密着部３４がパッキン２６のＹ方向の２辺２６ｂを押圧し、圧縮状態で密着させることが好ましい。
【００４２】
図８に示すように、前記架台５は、溝型部材等により構成され、底部にＸ方向に延びる長孔から成る縦向きガイド手段３９を設けている。架台５を連結金具２８に連結するに際し、調整プレート４０が介装される。
【００４３】
調整プレート４０は、Ｙ方向と平行な両側縁部に下向きのリブ４０ａを設けると共に、該リブ４０ａの上面に該リブの肉厚と同寸法の溝４０ｂを形成しており、前記取付ボルト３７を挿通させるためのスリット４１ａ、４１ｂを開設している。従って、複数枚の調整プレート４０を積層したとき、下層の調整プレート４０の溝４０ｂに上層の調整プレート４０のリブ４０ａが嵌合するように構成されている。尚、調整プレート４０は、連結金具２８の上に載置したとき、リブ４０ａ、４０ａの間に連結金具２８の隆起部２８ａを嵌合する。
【００４４】
そこで、前記連結金具固着工程により固着された連結金具２８の上に、所定枚数の調整プレート４０を介して前記架台５を載置し、連結金具２８から起立する取付ボルト３７を調整プレート４０のスリット４１と架台５の縦向きガイド手段３９を構成する長孔に挿入し、ナット２６を締着する（架台連結工程）。
【００４５】
この際、連結金具２８に対して取付ボルト３７を前記横向きガイド手段３５を介してＹ方向に調整された位置決め状態で固定し、該取付ボルト３７に対して前記架台５を前記縦向きガイド手段３９を介してＸ方向に調整された位置決め状態で固定し、ナット４２を締着することにより、架台５をＸ方向及びＹ方向に調整した所定位置に設置することが可能である。
【００４６】
屋根の所定個所に架台５を設置した後、太陽電池モジュール等の機器が搭載され、作業を終了する。この状態において、代替瓦６の筒壁１２と支持金具２５の間においては、パッキン２６の圧縮されたＸ方向の２辺２６ａと上下の保持手段３２及び受部１３がサンドイッチ状に密着し、水密的にシールする。また、代替瓦６の筒壁１２と連結金具２８の間においては、パッキン２６のＹ方向の２辺２６ｂと上下の密着部３４及び受部１３がサンドイッチ状に密着し、水密的にシールする。そして、筒壁１２の上方空間は、連結金具２８により完全に被われており、該連結金具２８と支持金具２５の連結手段１３３、３６は、筒壁１２の外側に張り出した翼部３１の部分に設けられているので、該連結手段３３、３６を流下する雨水は、筒壁１２の外部で代替瓦６に好適に受止められ、雨漏りの原因を生成しない。
【００４７】
上述のようにして、代替瓦６の開口部８Ｌ、８Ｒのうち、一方の選択された開口部８は、支持金具２５を貫通させるために供されると共に、パッキン２６によりシールされており、他方の選択されない開口部８は、パッキン２２によりシールされた状態で蓋部材１１により閉鎖される。
【００４８】
図１ないし図４は、一般的にＦ型と称される平板瓦１に対して置換可能とした代替瓦６を示したが、屋根に敷設される瓦がＵ型と称される平板瓦の場合は、図９に示すように、Ｕ型平板瓦の形態に整合させた代替瓦６Ｍを提供すれば良い。このようなＵ型平板瓦と置換される代替瓦６Ｍは、両側縁部に水返し部４３Ｌ、４３Ｒを備えている点において上記のＦ型の代替瓦６と相違する他は、基本的に上記のＦ型の代替瓦６と同じであるから、上述の説明を援用し、詳述を省略する。
【符号の説明】
【００４９】
１  平板瓦
２  代替瓦（比較例）
３  開口部（比較例）
４  支持手段
５  架台
６  代替瓦（Ｆ型）（本発明）
６Ｍ  代替瓦（Ｕ型）（本発明）
７Ｌ、７Ｒ  ２個所
８Ｌ、８Ｒ  開口部（本発明）
９  横縁重合部
１０  上縁重合部
１１  蓋部材
１２  筒壁
１３  パッキン受部
１４  口縁部
１５  上流壁
１６  整流手段
１７  閉鎖壁
１８  中間整流手段
１９  下端整流手段
２０  水返しリブ群
２１  ガイドリブ群
２２  パッキン
２３  下地材
２４  ベース材
２５  支持金具
２６  パッキン
２６ａ、２６ｂ  辺
２７  固着手段
２８  連結金具
２８ａ  隆起部
２９  固着部
３０  胴部
３１  翼部
３２  保持手段
３３  連結手段
３４  密着部
３５  横向きガイド手段
３５ａ  スリット
３５ｂ  トンネル部
３６  連結手段
３７  取付ボルト
３７ａ  首部
３７ｂ  頭部
３８  固着具
３９  縦向きガイド手段
４０  調整プレート
４０ａ  リブ
４０ｂ  溝
４１ａ、４１ｂ  スリット
４２  ナット
４３Ｌ、４３Ｒ  水返し部
【図１】
2015124519.tif 000003
【図２】
2015124519.tif 000004
【図３】
2015124519.tif 000005
【図４】
2015124519.tif 000006
【図５】
2015124519.tif 000007
【図６】
2015124519.tif 000008
【図７】
2015124519.tif 000009
【図８】
2015124519.tif 000010
【図９】
2015124519.tif 000011
【図１０】
2015124519.tif 000012